(57)【要約】【課題】ＬＥＤ素子が実装されたＬＥＤユニットと、このＬＥＤユニットを収納する筐体とを備えた照明器具において、器具が設置された状態で配光を調整できるようにする。【解決手段】筐体３は、ＬＥＤユニット２の発光面２ａに対向する側に形成された開口部３１と、この開口部３１の入口側から奥側に亘って該筐体３の内壁面に螺旋状に形成され、ＬＥＤユニット２の突出部２４と係合して、ＬＥＤユニット２を開口部３１の入口側から奥側に亘って移動自在に保持する溝部３２とを有する。筐体３内にＬＥＤユニット２を開口部３１の入口側から奥側に亘って移動自在に保持できるようにしたので、筐体３に対するＬＥＤユニット２の相対位置を調整することにより、器具設置後においても配光の調整が可能となる。【選択図】図４
2007005216.tif 000002
【特許請求の範囲】
【請求項１】
ＬＥＤ素子が実装されたＬＥＤユニットと、前記ＬＥＤユニットを収納する筐体とを備えた照明器具であって、
前記筐体は、前記ＬＥＤユニットの発光面に対向する側に形成された開口部と、この開口部の入口側から奥側に亘って該筐体の内壁面に形成され、前記ＬＥＤユニットの少なくとも一部と係合して、前記ＬＥＤユニットを前記開口部の入口側から奥側に亘って移動自在に保持する溝部とを有することを特徴とする照明器具。
【請求項２】
前記筐体内に、前記ＬＥＤユニットの移動に伴って伸縮する反射鏡を備えることを特徴とする請求項１に記載の照明器具。
【請求項３】
前記溝部は、前記ＬＥＤユニットに電力を供給するための端子を備えることを特徴とする請求項１又は請求項２に記載の照明器具。
【請求項４】
ＬＥＤ素子が実装されたＬＥＤユニットと、前記ＬＥＤユニットを収納する筐体とを備えた照明器具であって、
前記筐体は、前記ＬＥＤユニットの略鉛直方向の取付位置が変更可能となるように該ＬＥＤユニットを挟持する一対の板状の止め具で構成されることを特徴とする照明器具。
【発明の詳細な説明】
【技術分野】
【０００１】
本発明は、ＬＥＤ（Ｌｉｇｈｔ  Ｅｍｉｔｔｉｎｇ  Ｄｉｏｄｅ）素子を光源とする照明器具に関する。
【背景技術】
【０００２】
従来のこの種の照明器具は、光源と反射鏡等の配光制御部材が一定の位置で固定された構造となっており、設置された照明器具の配光を変更する際には、照明器具自体を別のものに取り替える等、施工のやり直し等を行う必要があり、非常に手間がかかる作業を要していた。
【０００３】
ところで、球型ランプ等の光源を支持する円筒形の照明器具本体と、この照明器具本体を収容する収容部材とを備え、照明器具本体の外周に形成された支持ピンを、収容部材の内壁面に形成された螺旋状の案内孔で支持することにより、照明器具本体を収容部材に対して移動できるようにした照明器具が知られている（例えば、特許文献１参照）。このような照明器具によれば、器具の設置後においても、収容部材に対する照明器具本体の相対位置を変更することにより、容易に配光特性を調整することが可能となる。
【特許文献１】実公平７−２４７３４号公報
【発明の開示】
【発明が解決しようとする課題】
【０００４】
しかしながら、上記特許文献１は、球型ランプ等の球光源を用いた照明器具については記載されているものの、例えば、ＬＥＤ実装基板上に実装されたＬＥＤ素子を光源とする場合等、平面板光源を用いた照明器具については何ら開示されていない。球型ランプを光源として用いた場合、所定方向を効率よく照射するためには、ランプの背面に反射板等を配置する必要があり、また、球型ランプ自体の大きさが、出射方向に対して大きくなるため、反射板等を含む光源部の大きさが大きくなる。このため、光源部を収納する部材に対して光源部を移動させた際、光源部の一部が光源部を収納する部材からはみ出る等、意匠性の面で問題があった。
【０００５】
本発明は、かかる点に鑑みてなされたものであり、設置後においても配光の調整が可能であり、且つ、コンパクトで意匠性に優れた照明器具を提供することを目的とする。
【課題を解決するための手段】
【０００６】
上記目的を達成するために請求項１の発明は、ＬＥＤ素子が実装されたＬＥＤユニットと、前記ＬＥＤユニットを収納する筐体とを備えた照明器具であって、前記筐体は、前記ＬＥＤユニットの発光面に対向する側に形成された開口部と、この開口部の入口側から奥側に亘って該筐体の内壁面に形成され、前記ＬＥＤユニットの少なくとも一部と係合して、前記ＬＥＤユニットを前記開口部の入口側から奥側に亘って移動自在に保持する溝部とを有することを特徴とする。
【０００７】
請求項２の発明は、請求項１に記載の照明器具において、前記筐体内に、前記ＬＥＤユニットの移動に伴って伸縮する反射鏡を備えることを特徴とする。
【０００８】
請求項３の発明は、請求項１又は請求項２に記載の照明器具において、前記溝部は、前記ＬＥＤユニットに電力を供給するための端子を備えることを特徴とする。
【０００９】
請求項４の発明は、ＬＥＤ素子が実装されたＬＥＤユニットと、前記ＬＥＤユニットを収納する筐体とを備えた照明器具であって、前記筐体は、前記ＬＥＤユニットの略鉛直方向の取付位置が変更可能となるように該ＬＥＤユニットを挟持する一対の板状の止め具で構成されることを特徴とする。
【発明の効果】
【００１０】
請求項１に記載の照明器具によれば、ＬＥＤユニットを収納する筐体の内壁面に、開口部の入口側から奥側に亘って溝部を形成し、筐体内にＬＥＤユニットを開口部の入口側から奥側に亘って移動自在に保持できるようにしたので、筐体に対するＬＥＤユニットの相対位置を調整することにより、器具設置後においても配光の調整が可能となる。
【００１１】
また、平面板光源として利用可能なＬＥＤ素子を光源として用いたので、球型ランプを光源として用いる場合に比べて、光源部（ＬＥＤユニット）の出射方向に対する大きさを小さくすることができ、薄型化を図ることができる。このため、ＬＥＤユニットを筐体の開口部の入口付近に配置した場合であっても、ＬＥＤユニットが筐体から大きくはみ出すことがなく照明器具の意匠性が向上する。
【００１２】
請求項２に記載の照明器具によれば、筐体内に、ＬＥＤユニットの移動に伴って伸縮する反射鏡を備えるので、ＬＥＤユニットの各保持位置において、効率よくＬＥＤユニットからの光を筐体の開口部から照明器具の外部に出射することができる。
【００１３】
請求項３に記載の照明器具によれば、溝部が、ＬＥＤユニットに電力を供給するための端子を備えるので、溝部でＬＥＤユニットを保持すると同時に、端子を介してＬＥＤユニットに電力を供給することができる。
【００１４】
請求項４に記載の照明器具によれば、筐体が、ＬＥＤユニットの略鉛直方向の取付位置が変更可能となるように該ＬＥＤユニットを挟持する一対の板状の止め具で構成されているので、筐体に対するＬＥＤユニットの位置を調整することにより、器具設置後においても配光の調整が可能となる。また、平面板光源として利用可能なＬＥＤ素子を光源として用いたので、光源部（ＬＥＤユニット）の薄型化を図ることができ、照明器具の意匠性が向上する。
【発明を実施するための最良の形態】
【００１５】
以下、本発明の第１の実施形態について、ダウンライトとして用いられる照明器具を例にして説明する。図１に示されるように、照明器具１は、天井板１０に形成された取付孔等に取り付けられ、上方から床面等を照射するためのものであり、ＬＥＤ素子が実装されたＬＥＤユニット２と、ＬＥＤユニット２を収納する筐体３とを備えている。
【００１６】
筐体３は、ＬＥＤユニット２の発光面２ａに対向する側に形成された略円形の開口部３１と、この開口部３１の入口側から奥側に亘って該筐体３の内壁面に螺旋状に形成され、ＬＥＤユニット２の少なくとも一部（後述する突出部）と係合して、ＬＥＤユニット２を開口部３１の入口側から奥側に亘って移動自在に保持する溝部３２とを有している。筐体３に用いられる材料や製造方法は、特に限定されるものではなく、例えば、プラスチック樹脂を用いて射出成形することにより筐体３を作成するようにしてもよい。
【００１７】
また、筐体３の内壁面に反射膜を形成するようにしてもよい。このような反射膜は、例えば、酸化チタン等を混合した白色塗料を筐体３の内壁面に塗装することにより形成される。また、アルミニウムや銀等を、筐体３の内壁面に蒸着することにより反射膜を形成してもよい。筐体３の内壁面に反射膜を形成することによって、ＬＥＤユニット２から出射された光を反射して照明器具１の外部に効率良く出射することができる。
【００１８】
図２及び図３に示されるように、ＬＥＤユニット２は、ＬＥＤ素子２１を実装するＬＥＤ実装基板２２と、ＬＥＤ実装基板２２を収納して、ＬＥＤ素子２１の発光による発熱を拡散し、放熱する金属基板２３とを備えている。ＬＥＤ実装基板２２には給電用の配線２５が形成されており、ＬＥＤ実装基板２２に実装された一又は複数のＬＥＤ素子２１には、この配線２５を介して電力が供給される。金属基板２３は、ＬＥＤ実装基板２２を収納する凹部２６を有しており、ＬＥＤ実装基板２２は、発光面側が凹部２６の開口側に配置されるように金属基板２３に略密着した状態で凹部２６に収納されている。また、ＬＥＤユニット２は、金属基板２３の側面から突出形成された、上記筐体３の溝部３２によって保持される突出部２４を備えている。
【００１９】
図４（ａ）（ｂ）に示されるように、突出部２４は、筐体３内の任意の高さで螺旋状の溝部３２と係合するように形成されており、ＬＥＤユニット２は、突出部２４が溝部３２に保持された状態で、時計回り又は反時計回りに回転することにより、この溝部３２に沿って筐体３内を開口部３１の入口側又は奥側に移動する。図４（ａ）（ｂ）においては、ＬＥＤユニット２の各配置における照明器具１の照射範囲をＲ１，Ｒ２として示している。
【００２０】
なお、本実施形態においては、ＬＥＤユニット２の側面の一部にのみ突出部２４を形成する場合について説明したが、ＬＥＤユニット２の側面の全周に、溝部３２の形状に対応する螺旋状の突出部を形成してもよい。また、筐体３内でのＬＥＤユニット２の回転を円滑にするために、図５に示されるように、突出部２４の先端の角をとって半円形状に加工してもよく、図６（ａ）（ｂ）に示されるように、突出部２４の先端に、溝部３２に接して回転するローラ２７等を形成してもよい。
【００２１】
このようなＬＥＤユニット２は、例えば、ガラスエポキシ樹脂やセラミックなどの絶縁材料上に、ＬＥＤ素子２１を実装すると共に電気配線することによってＬＥＤ実装基板２２を構成し、このＬＥＤ実装基板２２をアルミニウムにより形成された金属基板２３に略密着させることにより作成される。また、銅により形成された金属基板２３上に絶縁層を設けてＬＥＤ素子２１を実装することによってＬＥＤユニット２を作成するようにしてもよい。
【００２２】
次に、照明器具１の配光を調整する際の操作を説明する。照明器具１は天井板１０等に設置された状態において、例えば、ＬＥＤユニット２を開口部３１側から見て時計回りに回転させることにより開口部３１の奥側から開口部３１の入口側に移動し、ＬＥＤユニット２が開口部３１の入口付近に配置された状態（図４（ａ）の状態）で、広角の配光特性を有する照明器具として使用される。一方、ＬＥＤユニット２は、開口部３１側から見て反時計回りに回転することにより開口部３１の入口側から開口部３１の奥側に移動し、ＬＥＤユニット２が開口部３１の奥側に配置された状態（図４（ｂ）の状態）で、狭角の配光特性を有する照明器具として使用される。なお、開口部３１の前面にレンズ等を設け、筐体３に対してＬＥＤユニット２を移動させることにより出射光の焦点位置を調節できるようにしてもよい。
【００２３】
本実施形態の照明器具１によれば、ＬＥＤユニット２を収納する筐体３の内壁面に、開口部３１の入口側から奥側に亘って溝部３２を形成し、筐体３内にＬＥＤユニット２を開口部３１の入口側から奥側に亘って移動自在に保持できるようにしたので、筐体３に対するＬＥＤユニット２の相対位置を調整することにより、器具設置後においても配光の調整が可能となる。
【００２４】
また、ＬＥＤ実装基板２２に実装されたＬＥＤ素子２１を光源として用いたので、球型ランプを光源として用いる場合に比べて、光源部（ＬＥＤユニット）の出射方向に対する大きさを小さくすることができ、薄型化を図ることができる。このため、ＬＥＤユニット２を筐体３の開口部３１の入口付近に配置した場合であっても、ＬＥＤユニット２が筐体３から大きくはみ出すことがなく照明器具１の意匠性が向上する。
【００２５】
次に、本発明の第２の実施形態に係る照明器具について図７（ａ）（ｂ）を参照して説明する。本実施形態に係る照明器具１は、筐体３内に、ＬＥＤユニット２の移動に伴って伸縮する反射鏡４を備える点で第１の実施形態と異なり、他の構成は第１の実施形態と同様である。
【００２６】
反射鏡４は、ＬＥＤユニット２から反射鏡４に向けて出射された光を、開口部３１に向けて反射するためのものであり、例えば、図７（ａ）（ｂ）に示されるように、複数の金属板を組み合わせて形成される。同図において、反射鏡４の一方の端部はＬＥＤユニット２の発光面２ａの周囲に取り付けられ、もう一方の端部は筐体３の開口部３１の入口付近に取り付けられている。反射鏡４は、複数の金属板を重ね合わせることにより形成された伸縮自在な蛇腹状の構造を備えており、開口部３１の入口付近からＬＥＤユニット２の発光面２ａまでの各位置において、ＬＥＤユニット２の発光面２ａの形状と略相似形になる水平断面を有する筒形状を形成する。
【００２７】
反射鏡４はＬＥＤユニット２の移動に伴って伸縮し、例えば、ＬＥＤユニット２が開口部３１の入口付近に位置する場合には、反射鏡４を構成する金属板が重なり合って縮んだ状態となり、ＬＥＤユニット２が筐体３の奥側に位置する場合には、金属板の重なりが解消されて伸張した状態となる。
【００２８】
本実施形態の照明器具１も、第１の実施形態と同様に、ＬＥＤユニット２が開口部３１の入口付近に配置された状態で、広角の配光特性を有する照明器具として使用され、ＬＥＤユニット２が開口部３１の奥側に配置された状態で、狭角の配光特性を有する照明器具として使用される。また、筐体３内に、ＬＥＤユニット２の移動に伴って伸縮する反射鏡４を備えるので、ＬＥＤユニット２の各保持位置において、効率よくＬＥＤユニット２からの光を筐体３の開口部３１から照明器具１の外部に出射することができる。
【００２９】
次に、本発明の第３の実施形態に係る照明器具について図８を参照して説明する。本実施形態に係る照明器具１は、溝部３２が、ＬＥＤユニット２に電力を供給するための端子３３ａ，３３ｂを備える点で第１の実施形態と異なる。なお、図８においては、筐体３及びＬＥＤユニット２の外形を一点差線で示している。
【００３０】
溝部３２は、配線３４を介して不図示の電源に電気的に接続される一対の端子３３ａ，３３ｂを備えている。各端子３３ａ，３３ｂは、溝部３２の上面又は下面に沿って形成されており、例えば、溝部３２の上面にプラスの端子３３ａが、溝部３２の下面にマイナスの端子３３ｂがそれぞれ配置される。一方、溝部３２に係合されるＬＥＤユニット２の突出部２４にも、溝部３２に形成された端子３３ａ，３３ｂに対応して、上面側にプラスの端子２８ａ、下面側にマイナスの端子２８ｂがそれぞれ形成されており、これら突出部２４の一対の端子２８ａ，２８ｂは、突出部２４が溝部３２に係合された状態で、溝部３２の一対の端子３３ａ，３３ｂにそれぞれ電気的に接続される。また、ＬＥＤユニット２は、突出部２４を通って端子２８ａ，２８ｂからＬＥＤ素子２１まで至る配線２５を備えており、突出部２４が溝部３２に係合された状態で、それぞれの端子２８ａ，２８ｂを介してＬＥＤ素子２１に電力が供給される。
【００３１】
本実施形態の照明器具１によれば、溝部３２が、ＬＥＤユニット２に電力を供給するための端子３３ａ，３３ｂを備えるので、溝部３２でＬＥＤユニット２を保持すると同時に、端子３３ａ，３３ｂを介してＬＥＤユニット２に電力を供給することができる。このため、ＬＥＤユニット２への電力供給のための配線ケーブル等を、別途設ける必要がなくなり、ＬＥＤユニット２が筐体３内を移動する際、配線ケーブル等が移動の障害になることもない。
【００３２】
次に、本発明の第４の実施形態に係る照明器具について図９及び図１０を参照して説明する。本実施形態に係る照明器具１１は、筐体が、ＬＥＤユニット２を挟持する一対の板状の止め具４１で構成されている点で上記第１の実施形態乃至第３の実施形態と異なる。
【００３３】
止め具４１は、ＬＥＤユニット２の側面を挟み込むように配置され、止め具４１の互いに対向する面４１ａには、ＬＥＤユニット２を保持するための複数の溝部４２が、略鉛直方向の所定高さ毎に設けられている。図１０に示されるように、ＬＥＤユニット２は、その側面に、止め具４１の溝部４２と係合する突出部２４を備えており、この突出部２４が溝部４２と係合することによって、ＬＥＤユニット２は止め具４１によって挟持される。ＬＥＤユニット２は、止め具４１の間隔Ｌを広げることによって、又は、止め具４１をＬＥＤユニット２と反対側に撓ませることによって止め具４１から取り外すことができるようになっており、略鉛直方向の取付位置が変更できるようになっている。照明器具１は、例えば、図１０に示されるように、止め具４１を折り曲げて天井板１０等に固定することができる。
【００３４】
本実施形態の照明器具１によれば、筐体が、ＬＥＤユニット２の略鉛直方向の取付位置が変更可能となるように該ＬＥＤユニット２を挟持する一対の板状の止め具４１で構成されているので、筐体に対するＬＥＤユニット２の位置を調整することにより、器具設置後においても配光の調整が可能となる。また、筐体が一対の板状の止め具４１で構成されているので、簡単な構造で、器具設置後においても配光の調整できる照明器具を実現することができる。更に、ＬＥＤ実装基板２２に実装されたＬＥＤ素子２１を光源として用いたので、球型ランプを光源として用いる場合に比べて、光源部（ＬＥＤユニット）の薄型化を図ることができ、照明器具１の意匠性が向上する。
【００３５】
なお、本発明は上記各種実施形態の構成に限られることなく種々の変形が可能である。例えば、照明器具１，１１を、ダウンライト以外の照明器具として用いてもよい。
【図面の簡単な説明】
【００３６】
【図１】本発明の第１の実施形態に係る照明器具の斜視図。
【図２】同照明器具のＬＥＤユニットの斜視図。
【図３】同ＬＥＤユニットの断面図。
【図４】（ａ）は同照明器具の広角配光状態の断面図、（ｂ）は同照明器具の狭角配光状態の断面図。
【図５】同ＬＥＤユニットを発光面側から見た図。
【図６】（ａ）は同ＬＥＤユニットの突出部の先端付近の断面図、（ｂ）は同先端付近の斜視図。
【図７】（ａ）は本発明の第２の実施形態に係る照明器具の広角配光状態の断面図、（ｂ）は同照明器具の狭角配光状態の断面図。
【図８】本発明の第３の実施形態に係る照明器具の概略図。
【図９】本発明の第４の実施形態に係る照明器具の斜視図。
【図１０】同照明器具の設置状態を示す断面図。
【符号の説明】
【００３７】
１，１１  照明器具
２    ＬＥＤユニット
３    筐体
４    反射鏡
３１  開口部
３２  溝部
３３ａ，３３ｂ  端子
４１  止め具
【図１】
2007005216.tif 000003
【図２】
2007005216.tif 000004
【図３】
2007005216.tif 000005
【図４】
2007005216.tif 000006
【図５】
2007005216.tif 000007
【図６】
2007005216.tif 000008
【図７】
2007005216.tif 000009
【図８】
2007005216.tif 000010
【図９】
2007005216.tif 000011
【図１０】
2007005216.tif 000012